(57)【要約】【課題】  防振作業効率が高く、剛性の高い安価なコンデンサホルダが得られ、かつ、放熱効果を高くメンテナンスの容易なコンデンサの防振構造を得る。【解決手段】  本発明のコンデンサホルダ１は、コンデンサを把持する把持部２と、把持部を複数個連結する連結部８とを有した一体構造からなり、把持部２はコンデンサの径より小さくなるように配設した複数個の爪部３を有し、この爪部の反発力を利用してコンデンサの振動を吸収できる構造にしている。また、このコンデンサホルダをプリント基板に実装することにより、コンデンサの防振構造が得られる。【選択図】    図１
2007173311.tif 000002
【特許請求の範囲】
【請求項１】
コンデンサを把持する把持部と、前記把持部を複数個連結する連結部とを有した一体構造であることを特徴とするコンデンサホルダ。
【請求項２】
前記把持部は、コンデンサの径より小さくなるように配設した複数個の爪部を有し、前記爪部の反発力を利用してコンデンサの振動を吸収できる構造を有していることを特徴とする請求項１記載のコンデンサホルダ。
【請求項３】
前記連結部は、プリント基板と接触する突起部を設けたことを特徴とする請求項１記載のコンデンサホルダ。
【請求項４】
前記連結部は、プリント基板に固定する取付けねじ穴を設けたことを特徴とする請求項１記載のコンデンサホルダ。
【請求項５】
請求項１から４記載のコンデンサホルダを用いて、コンデンサをプリント基板に実装したことを特徴とするコンデンサの防振構造。
【請求項６】
前記コンデンサを前記コンデンサホルダに挿通した後、フローはんだ付けしたことを特徴とする請求項５記載のコンデンサの防振構造。
【請求項７】
前記コンデンサをプリント基板にはんだ付けした後、前記コンデンサホルダを装着したことを特徴とする請求項５記載のコンデンサの防振構造。
【発明の詳細な説明】
【技術分野】
【０００１】
本発明は、プリント基板上へ実装されるコンデンサの防振構造に関するものである。
【背景技術】
【０００２】
プリント基板上に実装されるコンデンサは、振動に弱いため、防振対策を施さなければならない場合がある。
第１の従来技術として、図3に示すような防振塗布材を用いたものがある。図3(a)(b)は、防振塗布材を用いたコンデンサの防振構造を示す斜視図である。図において、５はプリント基板、６はコンデンサ、１０は防振塗布材である。第1の従来技術は、コンデンサの防振対策として最も簡単な構成であり、プリント基板５の接触面からコンデンサ６の高さの１／４程度まで防振塗布材１０を塗布していること、又は複数のコンデンサ６同士を防振塗布材１０で固定していることを特徴とする。
第２の従来技術として、図4に示すような筒状支持体の内部に弾発部をもうけたものが提案されている(例えば、特許文献1参照)。図4はコンデンサの防振構造を示す斜視図である。第２の従来技術は、所要数、例えば3つの弾発部２１ａ、２１ｂ、２１ｃを筒壁から筒内へ弾発可能に形成されて突出されている剛性筒状支持体２１で、プリント基板５に端子２４ａ、２４ｂがはんだ付けされる筒状のコンデンサ６を支持することを特徴とする。剛性筒状支持体２１には、はんだ付け可能な金属製支持脚２３ａ、２３ｂ、２３ｃが埋設されている。金属製支持脚２３ａ、２３ｂ、２３ｃは筒状コンデンサ６をはんだ付けすると同時にはんだ付けでプリント基板５に固定することにより支持強度が向上する。更に、剛性筒状支持体２１の筒下端の周囲には、所要数、例えば4つの切り欠き２２ａ、２２ｂ、２２ｃ、２２ｄが設けられており、この切り欠き２２ａ、２２ｂ、２２ｃ、２２ｄは、通風口として作用し、コンデンサ６の発生する熱を放熱する働きをする。
【特許文献１】特開平９−２６０１８１号公報
【発明の開示】
【発明が解決しようとする課題】
【０００３】
しかしながら、このような従来技術においては、次のような問題があった。
(1)第１の従来技術においては、高価な防振材を多量に使用する為、コスト高となる問題がある。また、防振材の塗布作業は、人手が必要となる為、作業工数が増加する問題がある。また、防振材の乾燥時間を必要とする為、作業工数が増加する問題がある。また、メンテナンス時にコンデンサを取り外す作業が困難となる問題がある。
(2)第２の従来技術においては、コンデンサ1つに対して、それぞれ剛性筒状支持体を取付けなければならない為、コスト高となる問題や、コンデンサをすっぽり覆ってしまい、また通風孔が小さい為、コンデンサが発する熱の放熱効率が悪くなる問題がある。
又、剛性筒状支持体は、プリント基板へ金属製支持脚をはんだ付けし強度を確保している為、メンテナンス時コンデンサを取り外すととき、邪魔になる問題がある。又、金属製支持脚をはんだ付けする為に、スルーホールをプリント基板へ予め形成しなければならず、そのため、パターン配線との絶縁距離の確保が必要となり、パターン配線の妨げとなる問題がある。
本発明はこのような問題点に鑑みてなされたものであり、高価な防振材が不要となると共にプリント基板に配設された複数のコンデンサを一括で支持する為、防振作業効率を高め又、剛性を高めることができる。又、コンデンサを覆う範囲が狭い為、放熱効果を高めることができる。又、プリント基板へネジ止めで固定する為、メンテナンス時、容易にコンデンサの交換作業が行えるコンデンサの防振構造を提供することを目的とする。
【課題を解決するための手段】
【０００４】
上記問題を解決するため、本発明は、次のように構成したものである。
請求項１に記載の発明は、コンデンサを把持する把持部と、前記把持部を複数個連結する連結部とを有する一体構造のコンデンサホルダである。
請求項２に記載の発明は、前記把持部をコンデンサの径より小さくなるように配設した複数個の爪部を有し、前記爪部の反発力を利用してコンデンサの振動を吸収できる構造を有しているコンデンサホルダである。
請求項３に記載の発明は、前記連結部にプリント基板と接触する突起部を設けたコンデンサホルダである。
請求項４に記載の発明は、前記連結部は、プリント基板に固定する取付けねじ穴を設けたコンデンサホルダである。
請求項５に記載の発明は、請求項１から４記載のコンデンサホルダを用いて、コンデンサをプリント基板に実装したコンデンサの防振構造である。
請求項６に記載の発明は、前記コンデンサを前記コンデンサホルダに挿通した後、フローはんだ付けしたコンデンサの防振構造である。
請求項７に記載の発明は、前記コンデンサをプリント基板にはんだ付けした後、前記コンデンサホルダを装着したコンデンサの防振構造である。
【発明の効果】
【０００５】
請求項１に記載の発明によると、複数個のコンデンサを一括で保持することにより、単一固定の場合より剛性を高めることができる。
請求項２に記載の発明によると、コンデンサを爪部の反発力で保持することができ、コンデンサの耐振構造にすることができる。
請求項３に記載の発明によると、コンデンサホルダの連結部にプリント基板と接触する突起部を設けたので、コンデンサの保持部とプリント基板間の距離を正確に確保することができ、かつ放熱効果を高めることもできる。
請求項４に記載の発明によると、プリント基板にコンデンサホルダをネジ止めできるので、剛性を高めることができる。
請求項５〜７に記載の発明によると、コンデンサの保持部の剛性を高めることができ、かつはんだ付け作業効率を高めることができ、コンデンサの耐振効果及び放熱効果を高めることができる。
【発明を実施するための最良の形態】
【０００６】
以下、本発明の実施の形態について図を参照して説明する。
【実施例１】
【０００７】
図1は、本発明の実施例１を示すコンデンサホルダの斜視図である。図において、１はコンデンサホルダ、２は把持部、３は爪部、４はねじ穴部、７は突起部、８は連結部である。
コンデンサホルダ1は、コンデンサの把持部２を等間隔に配設形成された構造としていする。また、把持部２の爪部３は、3つの爪部３ａ、３ｂ、３ｃがその把持部２の上部からそれぞれ内側の方向に突出されて配設された構造にしている。これは、内側へ挿入されるコンデンサを爪部の反発力で保持する働きをする。突起部７は連結部８から伸延している。
【０００８】
図２は、図1のコンデンサホルダを用いた基板実装形コンデンサの防振構造を示した３面図である。図において、５はプリント基板、６はコンデンサである。
プリント基板５に規定のピッチで配設されたコンデンサ６をコンデンサホルダ１で保持した状態で、プリント基板５のはんだ面よりねじ穴部４にねじ止めしプリント基板５とコンデンサ６を固定し、その状態でフローはんだ付けする構造となっている。また、逆にコンデンサ６をはんだ付けした後、コンデンサホルダ１を被せてねじ止めしてもよい。
このように、本発明によれば、突起部７によりコンデンサの保持部とプリント基板間の距離を正確に確保することができ、かつ放熱効果を高めることもできる。また、プリント基板５へ実装される複数個のコンデンサ６を同時に把持することで、コンデンサの剛性を高めることができる。又、防振塗布材１０を使用しないため、コスト低とすることができる。また、複数個のコンデンサをコンデンサホルダで一体化することができ、スルーホール部品と共にプリント基板に配置したままフローはんだ付けすることができ、はんだ付け作業効率を高めることができる。
【図面の簡単な説明】
【０００９】
【図１】本発明の実施例１を示すコンデンサホルダの斜視図
【図２】本発明の実施例におけるプリント基板取付け状態を示す3面図である。
【図３】第1の従来技術を示すコンデンサ防振構造の斜視図
【図４】第２の従来技術を示すコンデンサ防振構造の斜視図
【符号の説明】
【００１０】
１  コンデンサホルダ
２  把持部
３、３ａ、３ｂ、３ｃ  爪部
４  ねじ穴部
５  プリント基板
６  コンデンサ
７  突起部
８  連結部
１０  防振塗布材
２１  剛性筒状支持体
２１ａ、２１ｂ、２１ｃ  弾発部
２２ａ、２２ｂ、２２ｃ、２２ｄ  切り欠き
２３ａ、２３ｂ、２３ｃ  金属製支持脚
２４ａ、２４ｂ  端子
【図１】
2007173311.tif 000003
【図２】
2007173311.tif 000004
【図３】
2007173311.tif 000005
【図４】
2007173311.tif 000006